(57)【要約】【課題】片手のみの操作で傘を使用状態とすることができ、しかもその使用状態において傘を安定して保持可能な傘ホルダーを提供する。【解決手段】ユーザＵの腰部周囲に巻き付けられる腰用ベルト１０と、腰用ベルト１０に取付けられ傘の持ち手Ｍを収容可能で上方が開口した持ち手収容体２０と、ユーザＵの一方側の肩から他方側の脇へたすき掛けにされる胸用ベルト３０と、胸用ベルト３０に取付けられ傘の軸Ｊを挿通しつつ保持可能な軸支持体４０と、を備える傘ホルダー１００において、持ち手収容体２０の上部内側に取付けられ、持ち手収容体２０に収容される傘の持ち手Ｍを前後少なくともいずれか一方から押圧して固定可能な固定片２１を備え、固定片２１は、持ち手収容体２０の上端縁部を内側に折り曲げてなる。【選択図】図２
2015077372.tif 000002
【特許請求の範囲】
【請求項１】
ユーザの腰部周囲に巻き付けられる腰用ベルトと、
前記腰用ベルトに取付けられ傘の持ち手を収容可能で上方が開口した持ち手収容体と、
ユーザの一方側の肩から他方側の脇へたすき掛けにされる胸用ベルトと、
前記胸用ベルトに取付けられ傘の軸を挿通しつつ保持可能な軸支持体と、を備える傘ホルダーにおいて、
前記持ち手収容体の上部内側に取付けられ、前記持ち手収容体に収容される前記傘の持ち手を前後少なくともいずれか一方から押圧して固定可能な固定片を備えることを特徴とする傘ホルダー。
【請求項２】
前記固定片は、前記持ち手収容体の上端縁部を内側に折り曲げてなることを特徴とする請求項１に記載の傘ホルダー。
【請求項３】
前記固定片は前後に配置された二つの弾性体であって、前記固定片の弾性力によって前記傘の持ち手を挟持可能なことを特徴とする請求項１又は２に記載の傘ホルダー。
【請求項４】
前記持ち手収容体に収容される傘の持ち手は、前記傘の軸の下端に取付けられ前記傘の軸と同軸の直線部と、前記直線部から左右方向に略平行に延びる底部と、前記底部から前記傘の軸と略平行に延びる折返部とからなるとともに、全体として略Ｊ字状に湾曲しており、
前記固定片で前記傘の持ち手の直線部及び折返部を同時に前後から挟持可能なことを特徴とする請求項３に記載の傘ホルダー。
【請求項５】
前記持ち手収容体の深さは、前記傘の持ち手の底部が前記持ち手収容体の底面に接したときに、前記傘の持ち手の折返部の先端が前記持ち手収容体から出ない深さであることを特徴とする請求項４に記載の傘ホルダー。
【請求項６】
前記持ち手収容体の内側おいて前記固定片の下方に取付けられ、前記傘の持ち手の下部が前方又は後方へ移動することを規制する位置規制部材を備えることを特徴とする請求項１乃至５のうちいずれか一つに記載の傘ホルダー。
【請求項７】
前記持ち手収容体の下部には前後に孔部が形成されるとともに、
前記孔部に挿通され前記傘の持ち手を前記持ち手収容体に締結可能な固定帯を備えることを特徴とする請求項４又は５に記載の傘ホルダー。
【請求項８】
ユーザの腰部周囲に巻き付けられる腰用ベルトと、
前記腰用ベルトに取付けられ傘の持ち手を収容可能で上方が開口した持ち手収容体と、
ユーザの一方側の肩から他方側の脇へたすき掛けにされる胸用ベルトと、
前記胸用ベルトに取付けられ傘の軸を挿通しつつ保持可能な軸支持体と、を備える傘ホルダーにおいて、
前記持ち手収容体の前後方向の内寸は、前記傘の持ち手の前後方向の厚さと略等しく、
前記持ち手収容体の下部には前後に孔部が形成されるとともに、
前記孔部に挿通され前記傘の持ち手を前記持ち手収容体に締結可能な固定帯を備えることを特徴とする傘ホルダー。
【請求項９】
前記持ち手収容体は布よりも硬質の皮革又は合成樹脂からなることを特徴とする請求項１乃至８のうちいずれか一つに記載の傘ホルダー。
【発明の詳細な説明】
【技術分野】
【０００１】
本発明は、傘の使用時にユーザの両手が自由になる傘ホルダーに関するものである。
【背景技術】
【０００２】
雨傘や日傘を使用すると、通常は少なくとも一方の手が塞がり、さらに荷物を持つと両手が塞がってしまう。
また、骨折や麻痺等の何らかの事情でユーザが一方の手しか使えない場合には、傘を差すだけで手が塞がり、荷物を全く持てない。
【０００３】
このように、雨の日等に傘によって一方の手が塞がっていると、足元がふらついて転倒しそうになった場合や転倒した場合に、咄嗟に手をつくことができないので、大変危険である。
また、このような危険を考慮して、雨の日には外出を控える人もいる。
【０００４】
そこで、手で傘を持たなくても傘を保持可能な、ユーザの体に傘を固定する傘ホルダーが開示されている（例えば、特許文献１参照）。
【先行技術文献】
【特許文献】
【０００５】
【特許文献１】特開２０１２−１９１９８２号公報
【０００６】
この傘ホルダーは、傘の持ち手を収容可能な持ち手収容体が腰用ベルトに取付けられるとともに、傘の軸を挿通しつつ保持可能な軸支持体が胸用ベルトに取付けられている。
【０００７】
このような傘ホルダーによると、傘が持ち手収容体と軸支持体の上下二箇所で支持されるので、傘を手で持つことなく差すことができる。
したがって、片手が不自由な人であっても傘の使用時に手が塞がらないので、安全である。
しかも、片手のみの操作で傘を使用状態とすることができる。
【発明の概要】
【発明が解決しようとする課題】
【０００８】
しかしながら、傘の持ち手を持ち手収容体に差し込んでいるだけであるので、急に風が吹いたときには傘が浮き上がり、傘の持ち手が持ち手収容体から抜けてしまうことがある。このように、傘の使用時の安定性に欠けるという問題がある。
【０００９】
そこで、本発明の目的とするところは、片手のみの操作で傘を使用状態とすることができ、しかもその使用状態において傘を安定して保持可能な傘ホルダーを提供することにある。
【課題を解決するための手段】
【００１０】
上記の目的を達成するために、本発明の請求項１に記載の傘ホルダー（１００）は、ユーザ（Ｕ）の腰部周囲に巻き付けられる腰用ベルト（１０）と、前記腰用ベルト（１０）に取付けられ傘の持ち手（Ｍ）を収容可能で上方が開口した持ち手収容体（２０）と、ユーザ（Ｕ）の一方側の肩から他方側の脇へたすき掛けにされる胸用ベルト（３０）と、前記胸用ベルト（３０）に取付けられ傘の軸（Ｊ）を挿通しつつ保持可能な軸支持体（４０）と、を備える傘ホルダー（１００）において、前記持ち手収容体（２０）の上部内側に取付けられ、前記持ち手収容体（２０）に収容される前記傘の持ち手（Ｍ）を前後少なくともいずれか一方から押圧して固定可能な固定片（２１）を備えることを特徴とする。
【００１１】
また、請求項２に記載の傘ホルダー（１００）は、前記固定片（２１）は、前記持ち手収容体（２０）の上端縁部を内側に折り曲げてなることを特徴とする。
【００１２】
また、請求項３に記載の傘ホルダー（１００）は、前記固定片（２１）は前後に配置された二つの弾性体であって、前記固定片（２１）の弾性力によって前記傘の持ち手（Ｍ）を挟持可能なことを特徴とする。
【００１３】
また、請求項４に記載の傘ホルダー（１００）は、前記持ち手収容体（２０）に収容される傘の持ち手（Ｍ）は、前記傘の軸（Ｊ）の下端に取付けられ前記傘の軸（Ｊ）と同軸の直線部（Ｍａ）と、前記直線部（Ｍａ）から左右方向に略平行に延びる底部（Ｍｂ）と、前記底部（Ｍｂ）から前記傘の軸（Ｊ）と略平行に延びる折返部（Ｍｃ）とからなるとともに、全体として略Ｊ字状に湾曲しており、前記固定片（２１）で前記傘の持ち手（Ｍ）の直線部（Ｍａ）及び折返部（Ｍｃ）を同時に前後から挟持可能なことを特徴とする。
【００１４】
また、請求項５に記載の傘ホルダー（１００）は、前記持ち手収容体（２０）の深さは、前記傘の持ち手（Ｍ）の底部（Ｍｂ）が前記持ち手収容体（２０）の底面に接したときに、前記傘の持ち手（Ｍ）の折返部（Ｍｃ）の先端が前記持ち手収容体（２０）から出ない深さであることを特徴とする。
【００１５】
また、請求項６に記載の傘ホルダー（１００）は、前記持ち手収容体（２０）の内側おいて前記固定片（２１）の下方に取付けられ、前記傘の持ち手（Ｍ）の下部が前方又は後方へ移動することを規制する位置規制部材（２２）を備えることを特徴とする。
【００１６】
また、請求項７に記載の傘ホルダー（１００）は、前記持ち手収容体（２０）の下部には前後に孔部（２４）が形成されるとともに、前記孔部（２４）に挿通され前記傘の持ち手（Ｍ）を前記持ち手収容体（２０）に締結可能な固定帯（２５）を備えることを特徴とする。
【００１７】
また、請求項８に記載の傘ホルダー（１００）は、ユーザ（Ｕ）の腰部周囲に巻き付けられる腰用ベルト（１０）と、前記腰用ベルト（１０）に取付けられ傘の持ち手（Ｍ）を収容可能で上方が開口した持ち手収容体（２０）と、ユーザ（Ｕ）の一方側の肩から他方側の脇へたすき掛けにされる胸用ベルト（３０）と、前記胸用ベルト（３０）に取付けられ傘の軸（Ｊ）を挿通しつつ保持可能な軸支持体（４０）と、を備える傘ホルダー（１００）において、前記持ち手収容体（２０）の前後方向の内寸は、前記傘の持ち手（Ｍ）の前後方向の厚さと略等しく、前記持ち手収容体（２０）の下部には前後に孔部（２４）が形成されるとともに、前記孔部（２４）に挿通され前記傘の持ち手（Ｍ）を前記持ち手収容体（２０）に締結可能な固定帯（２５）を備えることを特徴とする。
【００１８】
また、請求項９に記載の傘ホルダー（１００）は、前記持ち手収容体（２０）は布よりも硬質の皮革又は合成樹脂からなることを特徴とする。
【００１９】
ここで、上記括弧内の記号は、図面および後述する発明を実施するための形態に掲載された対応要素または対応事項を示す。
【発明の効果】
【００２０】
本発明の請求項１に記載の傘ホルダーによれば、持ち手収容体と軸支持体を備えるので、傘が上下二箇所で支えられ、傘を手で持つことなく差すことができる。
また、持ち手収容体の上部内側に取付けられ、持ち手収容体に収容される傘の持ち手を前後少なくともいずれか一方から押圧して固定可能な固定片を備えるので、しっかりと傘の持ち手が固定され、使用状態において傘が安定して保持される。
また、固定片で押圧して傘の持ち手を固定するだけなので、その固定操作を片手のみで行うことができる。
【００２１】
また、請求項２に記載の傘ホルダーによれば、請求項１に記載の発明の作用効果に加え、固定片は、持ち手収容体の上端縁部を内側に折り曲げてなるので、ユーザが片手で持ち手収容体の上端縁部を押し込むだけで傘の持ち手を固定可能である。
【００２２】
また、請求項３に記載の傘ホルダーによれば、請求項１又は２に記載の発明の作用効果に加え、固定片は前後に配置された二つの弾性体であって、固定片の弾性力によって傘の持ち手を挟持可能であるので、傘の持ち手を二つの固定片間に上方から挿入するだけで傘の持ち手が固定される。よって、ユーザは片手でも容易に傘の持ち手を固定可能である。
【００２３】
また、請求項４に記載の傘ホルダーによれば、請求項３に記載の発明の作用効果に加え、固定片で、略Ｊ字状に湾曲した傘の持ち手の直線部及び折返部を同時に前後から挟持可能であるので、軸方向の回転を防止できる。すなわち、傘の持ち手の二箇所を挟持しているので、傘の軸方向の回転を防止でき、使用状態においてより安定して傘を保持可能である。
【００２４】
また、請求項５に記載の傘ホルダーによれば、請求項４に記載の発明の作用効果に加え、持ち手収容体の深さは、傘の持ち手の底部が持ち手収容体の底面に接したときに、傘の持ち手の折返部の先端が持ち手収容体から出ない深さであるので、急に風が吹いても傘の持ち手が持ち手収容体からさらに飛び出し難い。
【００２５】
また、請求項６に記載の傘ホルダーによれば、請求項１乃至５に記載の発明の作用効果に加え、持ち手収容体の内側おいて固定片の下方に取付けられ、傘の持ち手の下部が前方又は後方へ移動することを規制する位置規制部材を備えるので、傘の前後の振れを防止でき、より安定して保持可能である。
【００２６】
また、請求項７に記載の傘ホルダーによれば、請求項４又は５に記載の発明の作用効果に加え、持ち手収容体の下部には前後に孔部が形成されるとともに、孔部に挿通され前記傘の持ち手を前記持ち手収容体に締結可能な固定帯を備えるので、確実に傘の持ち手を持ち手収容体に固定できる。
【００２７】
また、請求項８に記載の傘ホルダーによれば、持ち手収容体の前後方向の内寸は、傘の持ち手の前後方向の厚さと略等しいので、持ち手収容体の内部で傘の持ち手ががたつき難い。
さらに、持ち手収容体の下部には前後に孔部が形成されるとともに、孔部に挿通され傘の持ち手を持ち手収容体に締結可能な固定帯を備えるので、確実に傘の持ち手を持ち手収容体に固定できる。
しかも、例えば面ファスナー等を使用して固定帯の締結を行うと、片手での操作で傘の持ち手を固定可能である。
【００２８】
また、請求項９に記載の傘ホルダーによれば、請求項１乃至８に記載の発明の作用効果に加え、持ち手収容体は布よりも硬質の皮革又は合成樹脂からなるので、持ち手収容体が変形し難く、風が吹いても傘の向きが安定する。
【００２９】
なお、本発明の傘ホルダーのように、傘の持ち手を前後少なくとも一方から押圧して固定する点は、上述した特許文献１には全く記載されていない。
【図面の簡単な説明】
【００３０】
【図１】本発明の第一実施形態に係る傘ホルダーを示す正面図である。
【図２】本発明の第一実施形態に係る傘ホルダーにおける持ち手収容体を示す、図１のＡ−Ａ線拡大断面図である。
【図３】本発明の他の実施形態に係る傘ホルダーにおける持ち手収容体を示す、図１のＡ−Ａ線拡大断面図である。
【図４】本発明の第二実施形態に係る傘ホルダーにおける持ち手収容体を示す、図１のＡ−Ａ線拡大断面図である。
【図５】本発明のさらに他の実施形態に係る傘ホルダーにおける持ち手収容体を示す、図１のＡ−Ａ線拡大断面図である。
【発明を実施するための形態】
【００３１】
（第一実施形態）
図１及び図２を参照して、本発明の第一実施形態に係る傘を説明する。
この傘ホルダー１００は、腰用ベルト１０と、持ち手収容体２０と、胸用ベルト３０と、軸支持体４０を備えるものである。
以下の説明で出てくる前後方向は、傘ホルダー１００を装着するユーザＵの前後方向と一致する。すなわち、図１においては紙面手前側が前方になる。
このユーザＵとしては、片麻痺の人、車椅子の障がい者やその介助者、乳児を抱いた母親、腕を骨折した人、合羽に不都合を感じる人等が考えられる。
【００３２】
本実施形態に係る傘ホルダー１００で保持する傘の持ち手Ｍは、略Ｊ字状に湾曲している。
つまり、この傘の持ち手Ｍは、傘の軸Ｊの下端に取付けられ傘の軸Ｊと同軸の直線部Ｍａと、直線部Ｍａから左右方向に略平行に延びる底部Ｍｂと、底部Ｍｂから傘の軸Ｊと略平行に延びる折返部Ｍｃとからなり、全体として略Ｊ字状に湾曲している。
【００３３】
腰用ベルト１０は、腰用ベルト１０をユーザＵの腰に脱着するためのバックル１１と、腰用ベルト１０の長さを調節可能なアジャスター１２を備え、ユーザＵの腰部周囲に巻き付けられる。
また、腰用ベルト１０は持ち手収容体２０の後部に挿通され、これにより持ち手収容体２０はユーザＵの腰回りを左右に移動可能である。
【００３４】
持ち手収容体２０は、腰用ベルト１０に取付けられ傘の持ち手Ｍを収容可能で、厚手の布地からなり、上方が開口している。
持ち手収容体２０の前側及び後ろ側の上端縁部は、持ち手収容体２０の内側に折り曲げ可能である。その上端縁部は、内側に折り曲げられたときには、持ち手収容体２０に収容した傘の持ち手Ｍを前後から押圧して挟持する固定片２１となる。
ユーザＵは使用時には固定片２１を上方から押し込み、図２に示すように固定片２１は固定時において略Ｕ字状又は略Ｊ字状に湾曲する。固定片２１には、この湾曲状態から真っ直ぐな状態に戻ろうとする弾性力がはたらいている。
このとき、固定片２１が傘の持ち手Ｍの直線部Ｍａ及び折返部Ｍｃの二箇所を同時に前後から挟持する。
【００３５】
また、固定片２１先端の内側（傘の持ち手Ｍに弾接する部分）には、それぞれ厚さ０．５ｍｍの軟質ゴム２３が取付けられており、それが雨で傘の持ち手Ｍが濡れた際の滑り止めになる。
持ち手収容体２０の深さは、傘の持ち手Ｍの底部Ｍｂが持ち手収容体２０の底面に接したときに、傘の持ち手Ｍの折返部Ｍｃの先端が持ち手収容体２０から出ない深さとなっている。
【００３６】
また、固定片２１の下方には、位置規制部材２２が取付けられており、傘の持ち手Ｍの下部が前方又は後方へ移動することを規制する。
二つの位置規制部材２２の間隔は、傘の持ち手Ｍの厚さに略等しい。
この位置規制部材２２は、前後二つ設けられたものでなくてもよく、前後どちらか一方であってもよい。また、傘を倒す角度（持ち手収容体２０と軸支持体４０との前後位置関係）によっては、位置規制部材２２の厚さ（両方又は一方）を適宜設計変更することで、より強固に傘を固定できる。
そして、持ち手収容体２０の下部には乾燥用の通気口が設けられている。
【００３７】
胸用ベルト３０は、ユーザＵの一方側の肩から他方側の脇へたすき掛けにされる。
胸用ベルト３０も腰用ベルト１０と同様にバックル３１とアジャスター３２を備えている。
また、胸用ベルト３０は軸支持体４０の後部に挿通され、これにより軸支持体４０は胸用ベルト３０上を移動可能である。
【００３８】
軸支持体４０は、長孔４１が形成されており、その長孔４１に傘の軸Ｊを挿通しつつ保持可能となっている。
また、軸支持体４０と胸用ベルト３０との間には遊びが設けられており、図１の矢印で示したように、軸支持体４０が左右に約５度ずつ回転可能になっている。したがって、ユーザＵの首や肩等の任意の場所に傘の軸Ｊを沿わせることができる。
また、軸支持体４０の下部は傘収納時の雨だれ受け４２となっている。
なお、この長孔４１に畳まれた傘の持ち手Ｍを掛けることで、そのままの状態で公共交通機関への乗降、着席が可能である。
【００３９】
次に、このように構成された傘ホルダー１００の使用方法について説明する。
最初に、折り畳まれている傘を、軸支持体４０の長孔４１に挿通する。
次に、傘を水平まで持ち上げ、その位置で傘を開く。
【００４０】
次に、開いた傘を、傘の軸Ｊが略鉛直になるまで起こして、傘の持ち手Ｍを持ち手収容体２０に収容する。
そして、前側及び後ろ側の固定片２１を持ち手収容体２０の内側へ折り込み、傘の持ち手Ｍを挟持する。
この傘を差す一連の操作は片手で行うことができる。
【００４１】
以上のように構成された傘ホルダー１００によれば、持ち手収容体２０と軸支持体４０を備えるので、傘が上下二箇所で支えられ、傘を手で持つことなく差すことができる。
また、固定片２１は、持ち手収容体２０の上端縁部を内側に折り曲げてなるので、ユーザＵが片手で持ち手収容体２０の上端縁部を押し込むだけで傘の持ち手Ｍを固定可能である。
しかも、固定片２１で、略Ｊ字状に湾曲した傘の持ち手Ｍの直線部Ｍａ及び折返部Ｍｃを同時に前後から挟持可能であるので、軸方向の回転を防止できる。すなわち、傘の持ち手Ｍの二箇所を挟持しているので、傘の軸Ｊ方向の回転を防止でき、使用状態においてより安定して傘を保持可能である。
【００４２】
また、持ち手収容体２０の深さは、傘の持ち手Ｍの底部Ｍｂが持ち手収容体２０の底面に接したときに、傘の持ち手Ｍの折返部Ｍｃの先端が持ち手収容体２０から出ない深さであるので、急に風が吹いても傘の持ち手Ｍが持ち手収容体２０からさらに飛び出し難い。
さらに、持ち手収容体２０の内側おいて固定片２１の下方に取付けられ、傘の持ち手Ｍの下部が前方又は後方へ移動することを規制する位置規制部材２２を備えるので、傘の前後の振れを防止でき、より安定して保持可能である。
【００４３】
ここで、図３に示すように、固定片２１を上に凸となるように湾曲させていてもよい。
【００４４】
（第二実施形態）
次に図４を参照して、本発明の第二実施形態に係る傘ホルダー１００を説明する。なお、第一実施形態と同一部分には同一符号を付した。
本実施形態の第一実施形態との違いは、位置規制部材２２の代わりに固定帯２５を設けたことであり、その他の構成要素に関しては第一実施形態と同一である。
【００４５】
持ち手収容体２０の下部には前後に孔部２４が形成され、その孔部２４に固定帯２５が挿通される。
そして、その固定帯２５によって傘の持ち手Ｍを持ち手収容体２０に締結可能となっている。固定帯２５自体の固定は、例えば面ファスナーやアジャスターで行うことができる。
【００４６】
この傘ホルダー１００によれば、持ち手収容体２０の下部には前後に孔部２４が形成されるとともに、孔部２４に挿通され傘の持ち手Ｍを持ち手収容体２０に締結可能な固定帯２５を備えるので、確実に傘の持ち手Ｍを持ち手収容体２０に固定できる。
【００４７】
なお、第一、第二実施形態において、固定片２１は持ち手収容体２０の上端縁部を内側に折り曲げてなるとしたが、これに限られるものではなく、最初から持ち手収容体２０の上部内側に設けておいてもよい。
【００４８】
また、固定片２１を前後両側に設けたが、これに限られるものではなく、前後のうちいずれか一方であってもよい。
また、固定片２１は弾性体に限られるものではない。
【００４９】
また、持ち手収容体２０に収容される傘の持ち手Ｍは、略Ｊ字状に湾曲しているとしたが、これに限られるものではなく、折り畳み傘のようにストレートタイプであってもよく、市販の傘のほとんどを保持することができる。
また、この傘ホルダー１００で保持可能なものは傘に限らず、一本杖も可能である。
【００５０】
さらに、図５に示すように、持ち手収容体２０の前後方向の内寸を、傘の持ち手Ｍの前後方向の厚さと略等しくして、さらに孔部２４と固定帯２５を備えてもよい。この場合、固定片２１は設けない。
このように持ち手収容体２０の前後方向の内寸を狭くすることで、持ち手収容体２０の内部で傘の持ち手Ｍががたつき難くなる。
ここで、持ち手収容体２０の前後方向の内寸をさらに狭くして、傘の持ち手Ｍを持ち手収容体２０に圧入するようにしてもよい。
【００５１】
また、固定片２１には軟質ゴム２３が取付けられたとしたが、これに限られるものではない。
【００５２】
また、持ち手収容体２０は布地からなるとしたが、これに限られるものではなく、布よりも硬質の皮革又は合成樹脂からなってもよい。
これにより、持ち手収容体２０が変形し難いので、風が吹いても傘の向きが安定する。
【００５３】
また、位置規制部材２２は必ずしも必要ではなく、無くてもよい。
また、持ち手収容体の深さは、傘の持ち手の底部が持ち手収容体の底面に接したときに、傘の持ち手の折返部の先端が持ち手収容体から出ない深さであるとしたが、これに限られるものではない。
【符号の説明】
【００５４】
１０      腰用ベルト
１１      バックル
１２      アジャスター
２０      持ち手収容体
２１      固定片
２２      位置規制部材
２３      軟質ゴム
２４      孔部
２５      固定帯
３０      胸用ベルト
４０      軸支持体
４１      長孔
４２      雨だれ受け
１００      傘ホルダー
Ｊ      傘の軸
Ｍ      傘の持ち手
Ｍａ    直線部
Ｍｂ    底部
Ｍｃ    折返部
Ｕ      ユーザ
【図１】
2015077372.tif 000003
【図２】
2015077372.tif 000004
【図３】
2015077372.tif 000005
【図４】
2015077372.tif 000006
【図５】
2015077372.tif 000007
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
ユーザの腰部周囲に巻き付けられる腰用ベルトと、
前記腰用ベルトに取付けられ、傘の軸と同軸の直線部と，底部と，折返部からなる略Ｊ字状に湾曲した傘の持ち手を収容可能で上方が開口した持ち手収容体と、
ユーザの一方側の肩から他方側の脇へたすき掛けにされる胸用ベルトと、
前記胸用ベルトに取付けられ前記傘の軸を挿通しつつ保持可能な軸支持体と、を備える傘ホルダーにおいて、
前記持ち手収容体の前側及び後側の上端縁部は、弾性力を有し内側に折り返し可能で、その折り返しによって前記傘の持ち手を収容した際に前記弾性力を利用して前記傘の持ち手の直線部及び折返部の二箇所をそれぞれ同時に前後から押圧して挟持可能なことを特徴とする傘ホルダー。
【請求項２】
ユーザの腰部周囲に巻き付けられる腰用ベルトと、
前記腰用ベルトに取付けられ、傘の軸と同軸の直線部と，底部と，折返部からなる略Ｊ字状に湾曲した傘の持ち手を収容可能で上方が開口した持ち手収容体と、
ユーザの一方側の肩から他方側の脇へたすき掛けにされる胸用ベルトと、
前記胸用ベルトに取付けられ前記傘の軸を挿通しつつ保持可能な軸支持体と、を備える傘ホルダーにおいて、
前記持ち手収容体の前側又は後側のいずれか一方の上端縁部は、弾性力を有し内側に折り返し可能で、その折り返しによって前記傘の持ち手を収容した際に前記弾性力を利用して前記傘の持ち手の直線部及び折返部の二箇所をそれぞれ同時に前又は後ろから押圧して挟持可能なことを特徴とする傘ホルダー。
【請求項３】
前記持ち手収容体の深さは、前記傘の持ち手の底部が前記持ち手収容体の底面に接したときに、前記傘の持ち手の折返部の先端が前記持ち手収容体から出ない深さであることを特徴とする請求項１又は２に記載の傘ホルダー。
【請求項４】
前記持ち手収容体の内側おいて前記折り返しの下方に取付けられ、前記傘の持ち手の下部が前方又は後方へ移動することを規制する位置規制部材を備えることを特徴とする請求項１乃至３のうちいずれか一つに記載の傘ホルダー。
【請求項５】
前記持ち手収容体の下部には前後に孔部が形成されるとともに、
前記孔部に挿通され前記傘の持ち手を前記持ち手収容体に締結可能な固定帯を備えることを特徴とする請求項１乃至３のうちいずれか一つに記載の傘ホルダー。
【手続補正２】
【補正対象書類名】明細書
【補正対象項目名】００１０
【補正方法】変更
【補正の内容】
【００１０】
上記の目的を達成するために、本発明の請求項１に記載の傘ホルダー（１００）は、ユーザ（Ｕ）の腰部周囲に巻き付けられる腰用ベルト（１０）と、前記腰用ベルト（１０）に取付けられ、傘の軸（Ｊ）と同軸の直線部（Ｍａ）と，底部（Ｍｂ）と，折返部（Ｍｃ）からなる略Ｊ字状に湾曲した傘の持ち手（Ｍ）を収容可能で上方が開口した持ち手収容体（２０）と、ユーザ（Ｕ）の一方側の肩から他方側の脇へたすき掛けにされる胸用ベルト（３０）と、前記胸用ベルト（３０）に取付けられ前記傘の軸（Ｊ）を挿通しつつ保持可能な軸支持体（４０）と、を備える傘ホルダー（１００）において、前記持ち手収容体（２０）の前側及び後側の上端縁部は、弾性力を有し内側に折り返し可能で、その折り返し（２１）によって前記傘の持ち手（Ｍ）を収容した際に前記弾性力を利用して前記傘の持ち手（Ｍ）の直線部（Ｍａ）及び折返部（Ｍｃ）の二箇所をそれぞれ同時に前後から押圧して挟持可能なことを特徴とする。
【手続補正３】
【補正対象書類名】明細書
【補正対象項目名】００１１
【補正方法】変更
【補正の内容】
【００１１】
また、請求項２に記載の傘ホルダー（１００）は、ユーザ（Ｕ）の腰部周囲に巻き付けられる腰用ベルト（１０）と、前記腰用ベルト（１０）に取付けられ、傘の軸（Ｊ）と同軸の直線部（Ｍａ）と，底部（Ｍｂ）と，折返部（Ｍｃ）からなる略Ｊ字状に湾曲した傘の持ち手（Ｍ）を収容可能で上方が開口した持ち手収容体（２０）と、ユーザの一方側の肩から他方側の脇へたすき掛けにされる胸用ベルト（３０）と、前記胸用ベルト（３０）に取付けられ前記傘の軸（Ｊ）を挿通しつつ保持可能な軸支持体（４０）と、を備える傘ホルダー（１００）において、前記持ち手収容体（２０）の前側又は後側のいずれか一方の上端縁部は、弾性力を有し内側に折り返し可能で、その折り返し（２１）によって前記傘の持ち手（Ｍ）を収容した際に前記弾性力を利用して前記傘の持ち手（Ｍ）の直線部（Ｍａ）及び折返部（Ｍｃ）の二箇所をそれぞれ同時に前又は後ろから押圧して挟持可能なことを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、請求項３に記載の傘ホルダー（１００）は、前記持ち手収容体（２０）の深さは、前記傘の持ち手（Ｍ）の底部（Ｍｂ）が前記持ち手収容体（２０）の底面に接したときに、前記傘の持ち手（Ｍ）の折返部（Ｍｃ）の先端が前記持ち手収容体（２０）から出ない深さであることを特徴とする。
【手続補正７】
【補正対象書類名】明細書
【補正対象項目名】００１５
【補正方法】変更
【補正の内容】
【００１５】
また、請求項４に記載の傘ホルダー（１００）は、前記持ち手収容体（２０）の内側おいて前記折り返し（２１）の下方に取付けられ、前記傘の持ち手（Ｍ）の下部が前方又は後方へ移動することを規制する位置規制部材（２２）を備えることを特徴とする。
【手続補正８】
【補正対象書類名】明細書
【補正対象項目名】００１６
【補正方法】変更
【補正の内容】
【００１６】
また、請求項５に記載の傘ホルダー（１００）は、前記持ち手収容体（２０）の下部には前後に孔部（２４）が形成されるとともに、前記孔部（２４）に挿通され前記傘の持ち手（Ｍ）を前記持ち手収容体（２０）に締結可能な固定帯（２５）を備えることを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００２０
【補正方法】変更
【補正の内容】
【００２０】
本発明によれば、持ち手収容体と軸支持体を備えるので、傘が上下二箇所で支えられ、傘を手で持つことなく差すことができる。
また、持ち手収容体の前側又は後側のいずれか一方の上端縁部は、弾性力を有し内側に折り返し可能で、その折り返しによって傘の持ち手を収容した際に弾性力を利用して傘の持ち手の直線部及び折返部の二箇所をそれぞれ同時に前又は後ろから押圧して挟持可能なので、しっかりと傘の持ち手が固定され、使用状態において傘が安定して保持される。
また、その固定操作を片手のみで行うことができる。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
また、本発明によれば、折り返しの弾性力によって傘の持ち手を挟持可能であるので、傘の持ち手を二つの固定片間に上方から挿入するだけで傘の持ち手が固定される。よって、ユーザは片手でも容易に傘の持ち手を固定可能である。
【手続補正１４】
【補正対象書類名】明細書
【補正対象項目名】００２３
【補正方法】変更
【補正の内容】
【００２３】
また、本発明によれば、略Ｊ字状に湾曲した傘の持ち手の直線部及び折返部を同時に前後から挟持可能であるので、軸方向の回転を防止できる。すなわち、傘の持ち手の二箇所を挟持しているので、傘の軸方向の回転を防止でき、使用状態においてより安定して傘を保持可能である。
【手続補正１５】
【補正対象書類名】明細書
【補正対象項目名】００２４
【補正方法】変更
【補正の内容】
【００２４】
また、本発明によれば、持ち手収容体の深さは、傘の持ち手の底部が持ち手収容体の底面に接したときに、傘の持ち手の折返部の先端が持ち手収容体から出ない深さであるので、急に風が吹いても傘の持ち手が持ち手収容体からさらに飛び出し難い。
【手続補正１６】
【補正対象書類名】明細書
【補正対象項目名】００２５
【補正方法】変更
【補正の内容】
【００２５】
また、本発明によれば、持ち手収容体の内側おいて折り返しの下方に取付けられ、傘の持ち手の下部が前方又は後方へ移動することを規制する位置規制部材を備えるので、傘の前後の振れを防止でき、より安定して保持可能である。
【手続補正１７】
【補正対象書類名】明細書
【補正対象項目名】００２６
【補正方法】変更
【補正の内容】
【００２６】
また、本発明によれば、持ち手収容体の下部には前後に孔部が形成されるとともに、孔部に挿通され前記傘の持ち手を前記持ち手収容体に締結可能な固定帯を備えるので、確実に傘の持ち手を持ち手収容体に固定できる。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】